(57)【要約】【課題】デジタルカメラ１０の通信許可設定が容易なメモリカード３０を提供する。【解決手段】実施形態のメモリカード３０は、撮像部１１を有するデジタルカメラ１０のカード接続端子１６と接続される外部接続端子３１と、他のデジタルカメラ１１０Ａと無線でデータを送受信する通信部３５と、認識画像から特徴を抽出する認識部３４と、撮像部１１が撮影する第１の認識画像の特徴とデジタルカメラ１１０Ａから送信される第２の認識画像の特徴とが一致する場合に以降のデジタルカメラ１１０Ａとのデータの送受信を許可するＣＰＵ３３と、を有する。【選択図】図２
2012134872.tif 000002
【特許請求の範囲】
【請求項１】
撮像手段を有するホストのカード接続端子、と接続される外部接続端子と、
他の通信端末と無線でデータを送受信する通信手段と、
認識画像から特徴を抽出する画像認識手段と、
前記撮像手段が撮影する第１の認識画像の特徴と、前記他の通信端末から送信される第２の認識画像の特徴と、が一致する場合に、以降の前記他の通信端末とのデータの送受信を許可する制御手段と、を有することを特徴とするカード状電子機器。
【請求項２】
前記制御手段が、前記撮像手段が撮影する第３の認識画像の特徴にもとづき、送受信を許可する前記他の通信端末の数、または、データの送信もしくは受信、の少なくともいずれかを制限することを特徴とする請求項１に記載のカード状電子機器。
【請求項３】
前記認識画像が、人物の画像であることを特徴とする請求項１または請求項２に記載のカード状電子機器。
【請求項４】
前記認識画像が、人物の手の画像であり、前記画像認識手段が、指の形状から前記特徴を抽出することを特徴とする請求項３に記載のカード状電子機器。
【請求項５】
前記認識画像が、動画像であることを特徴とする請求項１から請求項４のいずれか１項に記載のカード状電子機器。
【請求項６】
データを記憶する半導体メモリ部を有することを特徴とする請求項１から請求項５のいずれか１項に記載のカード状電子機器。
【請求項７】
前記ホストがデジタルカメラであることを特徴とする請求項１から請求項６のいずれか１項に記載のカード状電子機器。
【請求項８】
撮像手段と、
他の通信端末と無線でデータを送受信する通信手段と、
認識画像から特徴を抽出する画像認識手段と、
前記撮像手段が撮影する第１の認識画像の特徴と、前記他の通信端末から送信される第２の認識画像の特徴と、が一致する場合に、以降の前記他の通信端末とのデータの送受信を許可する制御手段と、を具備することを特徴とする通信端末。
【請求項９】
前記制御手段が、前記撮像手段が撮影する第３の認識画像の特徴にもとづき、送受信を許可する前記他の通信端末の数、または、データの送信もしくは受信、の少なくともいずれかを制限することを特徴とする請求項８に記載の通信端末。
【請求項１０】
前記認識画像が、人物の画像であることを特徴とする請求項８または請求項９に記載の通信端末。
【請求項１１】
前記認識画像が、人物の手の画像であり、前記画像認識手段が、指の形状から特徴を抽出することを特徴とする請求項１０に記載の通信端末。
【請求項１２】
前記認識画像が、動画像であることを特徴とする請求項８から請求項１１のいずれか１項に記載の通信端末。
【請求項１３】
無線通信機能を有するカード状電子機器がスロットに挿入されたデジタルカメラであることを特徴とする請求項８から請求項１２のいずれか１項に記載の通信端末。
【請求項１４】
被写体を撮影し第１の認識画像を取得する認識画像取得工程と、
前記第１の認識画像を送信する認識画像送信工程と、
他の通信端末からの第２の認識画像を、受信する認識画像受信工程と
前記第１の認識画像および前記第２の認識画像の特徴を抽出する特徴抽出工程と、
前記第１の認識画像および前記第２の認識画像の前記特徴が一致する場合に、以降の前記他の通信端末とのデータの送受信を許可する通信許可工程と、を具備することを特徴とする認証方法。
【請求項１５】
前記撮像手段が撮影する第３の認識画像の特徴にもとづき、送受信を許可する前記他の通信端末の数、または、データの送信もしくは受信、の少なくともいずれかを制限する通信設定工程を具備することを特徴とする請求項１４に記載の認証方法。
【請求項１６】
前記認識画像が、人物の画像であることを特徴とする請求項１４または請求項１５に記載の認証方法。
【請求項１７】
前記認識画像が、人物の手の画像であり、指の形状から特徴を抽出することを特徴とする請求項１６に記載の認証方法。
【請求項１８】
前記認識画像が、動画像であることを特徴とする請求項１４から請求項１７のいずれか１項に記載の認証方法。
【発明の詳細な説明】
【技術分野】
【０００１】
本発明の実施形態は、撮像部を有するホストが近距離無線通信システムを介して通信を行うためのカード状電子機器、および撮像部を有し近距離無線通信システムを介して通信を行う通信端末、および近距離無線通信システムを介しての通信を行うための認証方法に関する。
【背景技術】
【０００２】
デジタルカメラの使用者には、写真を撮影した後、近くにいる他のデジタルカメラの使用者と、その撮影した画像を交換したいという要望が強い。この要望に答えるために、通信機能のないデジタルカメラのカードスロットに挿入することにより、デジタルカメラに無線通信機能を付与する通信機能を内蔵したフラッシュメモリカードが開発されている。
【０００３】
通信機能内蔵メモリカードがスロットに挿入されたデジタルカメラは、互いに近距離無線通信システムを介してデータを送受信することができる。特に、基地局を介しないで各端末自身が自律的にルーティングを行うアドホック通信が可能なメモリカードは高い利便性を有している。
【０００４】
ここで、無線通信システムにおいては、通信相手である他の通信端末を限定する必要がある。例えば、パソコンにおいては、接続アドレスおよびパスワードを、キーボード等をもちいて入力することで、通信許可設定が行われている。
【０００５】
キーボード等のないデジタルカメラにおいては、従来方法での通信許可設定を行うことは、容易ではない。このため、公知の通信機能内蔵メモリカードでは、予め通信相手のデジタルカメラが決まっている場合には、その通信許可設定情報がパソコン等を介してメモリカードに転送され記憶されていた。
【先行技術文献】
【特許文献】
【０００６】
【特許文献１】特開２００２−３２９１８０号公報
【特許文献２】特開２００６−３５０４３４号公報
【発明の概要】
【発明が解決しようとする課題】
【０００７】
本発明の実施形態は、近距離無線通信システムを介しての通信許可設定を容易にするカード状電子機器、および、通信許可設定が容易な通信端末、および通信許可設定が容易な認証方法を提供することを目的とする。
【課題を解決するための手段】
【０００８】
本発明の一態様のカード状電子機器は、撮像手段を有するホストのカード接続端子、と接続される外部接続端子と、他の通信端末と無線でデータを送受信する通信手段と、認識画像から特徴を抽出する画像認識手段と、前記撮像手段が撮影する第１の認識画像の特徴と前記他の通信端末から送信される第２の認識画像の特徴とが一致する場合に以降の前記他の通信端末とのデータの送受信を許可する制御手段と、を有する。
【０００９】
本発明の別の一態様の通信端末は、撮像手段と、他の通信端末と無線でデータを送受信する通信手段と、認識画像から特徴を抽出する画像認識手段と、前記撮像手段が撮影する第１の認識画像の特徴と前記他の通信端末から送信される第２の認識画像の特徴とが一致する場合に以降の前記他の通信端末とのデータの送受信を許可する制御手段と、を具備する。
【００１０】
本発明の一態様の認証方法は、被写体を撮影し第１の認識画像を取得する認識画像取得工程と、前記第１の認識画像を送信する認識画像送信工程と、他の通信端末からの第２の認識画像を、受信する認識画像受信工程と、前記第１の認識画像および前記第２の認識画像の特徴を抽出する特徴抽出工程と、前記第１の認識画像および前記第２の認識画像の前記特徴が一致する場合に以降の前記他の通信端末とのデータの送受信を許可する通信許可工程と、を具備する。
【図面の簡単な説明】
【００１１】
【図１】実施形態のメモリカード、デジタルカメラ、およびデジタルカメラを具備する近距離無線通信システムの構成を説明するための説明図である。
【図２】実施形態のメモリカードの構成を説明するための説明図である。
【図３】実施形態のメモリカードの認識画像を説明するための説明図である。
【図４】第１実施形態のメモリカードの処理の流れを説明するためのフローチャートである。
【発明を実施するための形態】
【００１２】
＜第１実施形態＞
以下、本発明の第１実施形態のカード状電子機器であるメモリカード３０、デジタルカメラ１０、および認証方法について説明する。
図１に示すように、メモリカード３０は、ホストであるデジタルカメラ（以下「カメラ」という）１０のカードスロット１５に挿入されて撮像部１１が撮影した画像を記憶する、例えばＳＤメモリカード（登録商標）である。
【００１３】
そして、メモリカード３０がカードスロット１５に挿入されたカメラ１０は、近距離にある同じ構成を有する他のデジタルカメラ１１０Ａ〜１１０Ｃとともに、近距離無線通信システム１を構成することができる。すなわち、メモリカード３０は、無線通信機能内蔵メモリカードである。
【００１４】
なお、図１に示すように近距離無線通信システム１では、基地局またはアクセスポイント等を介することなく、カメラ同士が直接、通信を行うアドホック通信を行う。
【００１５】
カメラ１０は、撮像手段である撮像部１１と、カメラ制御部１４と、操作部１３と、表示部１２と、カードスロット１５と、を有する。撮像部１１は、例えばＣＯＭＳ撮像素子等と光学系とを有し、被写体の画像を撮影し画像データを出力する。操作部１３は使用者が操作を行うシャッタボタン等である。表示部１２はスルー画像または撮影画像を表示する液晶パネル等を有する。カードスロット１５は、カード接続端子１６を有し、カメラ筐体内へのメモリカード３０の収納部である。
【００１６】
次に、図２に示すように、メモリカード３０は、外部接続端子３１と、ホストインターフェイス（ホストＩＦ）３２と、通信部３５と、認識部３４と、ＣＰＵ３３と、ＲＯＭ４０と、ＲＡＭ３９と、ＮＡＮＤインターフェイス（メモリＩＦ）４１と、メモリ部４２と、を有する。
【００１７】
制御手段であるＣＰＵ３３は、ＲＯＭ３６に記憶されているファームウエアを読み込むことにより、メモリカード３０全体の制御を行うと同時に、後述する通信モードにおいては通信制御も行う。外部接続端子３１は、メモリカード３０がカメラ１０のカードスロット１５に挿入／収納されると、カード接続端子１６と接続される。
【００１８】
ホストＩＦ３２は、外部接続端子３１を介してカメラ１０とメモリカード３０との間でデータを送受信する。通信手段である通信部３５は、ＲＦ  Ｉ／Ｆ（３８）と、アンテナ３６と、ＲＦユニット３７と、を有し、外部の通信端末であるデジタルカメラ１１０Ａ〜１１０Ｃと無線通信を行う。ＲＡＭ３９には動作中にデータ等が一時記憶される。ＮＡＮＤ  ＩＦ（４１）は、メモリ部４２へのデータの記憶／読み出しを行うためのインターフェイスである。メモリ部４２は不揮発性のＮＡＮＤ型フラッシュメモリセルからなる。
【００１９】
そして、画像認識手段である認識部３４は、後述するように、認識画像から特徴を抽出する。なお説明のため認識部３４を独立した構成要素としているが、ＲＯＭ４０またはメモリ部４２に記憶され、動作時に、ＣＰＵ３３に読み込まれて動作するプログラムであってもよい。メモリ部４２に記憶されＣＰＵ３３で実行されるプログラムである認識部３４は、アップデートを容易に行うことができる。
【００２０】
カメラ１０を通常のカメラとして使用する場合、すなわち通常モードでは、使用者は、表示部１２に表示されたスルー画像をもとに、操作部１３のシャッターを押圧操作することにより、被写体の画像を撮像部１１により撮影する。撮影された画像は、メモリカード３０に送信されて、ホストＩＦ３２とＮＡＮＤ  ＩＦ３８とを介してメモリ部４２に記憶される。すなわち通常モードではカメラ１０およびメモリカード３０は、カメラ制御部１４の制御により動作する。
【００２１】
カメラ１０は、カメラ制御部１４の制御メニューから、所定の動作モードが選択されることにより、通信モードに切り替わる。通信モードに切り替わると、制御の主体がカメラ制御部１４からメモリカード３０のＣＰＵ３３に変わる。そして、ＣＰＵ３３の制御のもと、近距離無線通信システム１を介して、他のカメラ１１０Ａ〜１１０Ｃとのデータ送受信が行われる。すなわち、カメラ１０は通信機能を有していないが、カードスロット１５にメモリカード３０が挿入されることにより、近距離無線通信が可能となる。
【００２２】
近距離無線通信システム１は、数ｍから１００ｍの程度の距離にあるカメラ間で、電波を使いデータの送受信を行う、例えばＷｉＦｉシステムである。
【００２３】
そして、メモリカード３０を有するカメラ１０では、ＣＰＵ３３の制御のもと、撮像部１１が撮影する第１の認識画像の特徴と、他のカメラ１１０Ａから送信される第２の認識画像の特徴と、が一致する場合に、以降のカメラ１１０Ａとのデータの送受信を許可する通信許可設定が行われる。
【００２４】
このため、カメラ１０は、予め通信許可設定されたカメラだけでなく、その場で同じ特徴の被写体を撮影可能なカメラ１１０Ａ等との間で画像の送受信を行うことができる。
【００２５】
認識画像の被写体は、例えば、その場にいる人物Ａである。認識部３４が抽出する人物Ａの画像の特徴は比較的、簡単に抽出可能な特徴でよい。例えば、顔の特徴に限られず、服の色もしくは柄、または、図３（Ａ）に示すような、体全体をもちいた姿勢（ポーズ）等であってもよい。
【００２６】
すなわち、カメラ１０が行う認証は、セキュリティの高い厳密な認証ではないが、通信圏内に多くの通信相手が存在するときに、その中から所望の相手とグルーピングを行うためには十分である。
【００２７】
認識画像の被写体が人物の手の場合には、使用者がそれぞれ自分の手を撮影してもよい。カメラ１０が撮影する第１の使用者の手と、カメラ１１０Ａが撮影する第２の使用者の手とは別である。しかし、認識部３４は、図３（Ｂ）〜図３（Ｄ）に示すような認識画像中の手の形状、すなわち５本の指の形状、を識別し、両者の示す指サインが一致していた場合には、両者の特徴が一致していると判断する。
【００２８】
認識画像の被写体が人体であるため、メモリカード３０は、特別な準備／器具が不要なMan-Machineインターフェイスを実現する。
【００２９】
そして、カメラ１０とカメラ１１０Ａとが別々に撮影した２枚の認識画像から抽出された特徴が一致していた場合に、カメラ１０のＣＰＵ３３は、以降のカメラ１１０Ａとの通信を許可する。
【００３０】
そして、カメラ１０は、近距離無線通信システム１の通信可能範囲内にあるカメラのうち、通信許可設定されたカメラとの間でのみ通信を行う。
【００３１】
メモリカード３０の認識部３４は、高度で複雑な認証による同一人物かどうかの厳密な判定等を行うのではなく、比較的簡単な方法で通信許可設定のための認証を行う。
【００３２】
そして本実施形態の認証方法は、撮影画像の特徴にもとづくために、何桁ものパスワード等を入力する必要がなく、キーボード等の入力部を有していないカメラ１０であっても容易に行うことができる。
【００３３】
また、認証画像の被写体は、通信を開始するときに、その場で任意に決定される。このため何を撮影するかの選択およびポーズの決定等を含む一連の認証操作には、それ自体に娯楽性がある。このために、本実施形態の認証方法は、場の雰囲気を盛り上げるという効果もある。
【００３４】
以上の説明のように、メモリカード３０を有するカメラ１０は、簡単にかつ確実に通信許可設定を行うことができる。
【００３５】
次に、図４のフローチャートにもとづき、カメラ１０の通信動作について説明する。
＜ステップＳ１０＞通信モード（メモリカード制御）移行工程
カメラ１０は、カメラ制御部１４の制御メニューから、例えば選択された画像Ｓをプリントアウトするプリントアウト設定をメモリカードに対して行い、メモリカードはプリントアウト設定を受けて通信モードに移行する。もちろん、カメラ制御部１４が通信モード移行のための専用メニューを有していてもよい。
【００３６】
＜ステップＳ１１＞認識画像取得工程
通信モードに移行すると、撮像部を１１介して所定の被写体、例えば、図３（Ａ）に示した人物の全体像が撮影され、左足を上げた人物の第１の認識画像が取得される。
【００３７】
認識画像の被写体は、グルーピングを希望する複数のカメラの使用者が、その場において、話し合って決定することができる。すなわち被写体は予め決められたものではない。このため従来の認証方法と異なり、実施形態の認証方法には娯楽性がある。例えば、被写体となる人物に、わざと無理な姿勢を要求したり、再現が容易ではない動きを要求したりできる。
【００３８】
＜ステップＳ１２＞認識画像送信工程
近距離無線通信システム１は、ネットワークを構築するカメラ同士が互いに通信許可設定を行うアドホックネットワークである。すなわち、他のカメラ１１０Ａ等がカメラ１０と通信するためには、カメラ１１０Ａがカメラ１０と通信許可設定されていなければならない。
【００３９】
このため、カメラ１０は、他のカメラ１１０Ａの認証のために、近距離無線通信システム１を介して第１の認識画像を送信する。
【００４０】
＜ステップＳ１３＞認識画像受信？
ＣＰＵ３３は、通信部３５を介して通信可能範囲に通信対象の他のカメラ、例えば、認識画像を送信しているカメラがあるかを検知する。複数の認識画像が受信可能な場合には、例えば、最も電波強度の強い信号を送信しているカメラが優先的に選択される。逆に認識画像が受信できない場合（Ｎｏ）には、カメラ１０は、ステップＳ１２からの処理、すなわち認識画像送信を繰り返す。
【００４１】
通信対象のカメラ１１０Ａがあった場合（Ｙｅｓ）には、カメラ１０はカメラ１１０Ａから送信された第２の認識画像を受信する。
【００４２】
なお、第１の認識画像と第２の認識画像とは、同時に撮影された同じ被写体の画像である必要はない。例えば、カメラ１０は人物Ａを、カメラ１１０Ａは人物Ｂを撮影しても、両者が同じように、例えば左足を上げていればよい。また例えば、カメラ１０が人物Ａの画像を取得した後に、人物Ｂがカメラ１０の表示部１２に表示された画像（第１の認識画像）を見ながら同じポーズをとっているのを、カメラ１１０Ａが撮影してもよい。
【００４３】
なお、認識画像送信工程と認識画像送信工程との順序は逆でもよい。すなわち、第２の認識画像を受信後に第１の認識画像を送信してもよい。
【００４４】
＜ステップＳ１４＞特徴抽出工程
認識部３４は、第１の認識画像の特徴および第２の認識画像の特徴を抽出する。特徴抽出には公知の画像認識技術をもちいることができる。なお、第１の認識画像の特徴抽出は、ステップＳ１１の認識画像取得工程の直後に行われてもよいし、複数の他のカメラとネットワーク接続する場合には、最初のカメラとの交信のときに１回だけ行ったのでよい。
【００４５】
＜ステップＳ１５＞特徴一致？
第１の認識画像の特徴と第２の認識画像の特徴とが一致する場合（Ｙｅｓ）には、ステップＳ１６からの処理が行われ、一致していなかった場合（Ｎｏ）にはステップＳ１２からの処理が行われる。
【００４６】
＜ステップＳ１６＞通信許可工程
ＣＰＵ３３は以降のカメラ１１０Ａとのデータの送受信を許可する。そして、別の通信対象のカメラがあった場合（Ｓ１７：Ｙｅｓ）にはステップＳ１２からの処理を繰り返す。
【００４７】
カメラ１０以外の例えばカメラ１１０Ａも、カメラ１０と同じ動作を行う。カメラ１０のＣＰＵ３３がカメラ１１０Ａとの送受信を許可し、カメラ１１０ＡのＣＰＵ３３がカメラ１０との送受信を許可すると、両者の間の通信が可能となる。それぞれのカメラが上記動作を繰り返しグルーピング処理が行われる。
【００４８】
そして、カメラ１０はプリントアウトモードで選択された画像Ｓを送信し、グルーピングされた他のカメラは画像Ｓを受信する。プリントアウトモードで複数の画像を選択することにより、複数の画像を送信することもできる。もちろん、通信モードになってから、送受信する画像等が選択されてもよい。
【００４９】
以上の説明のように、本実施形態のカード状電子機器であるメモリカード３０は、カメラ１０の近距離無線通信システム１を介しての通信許可設定を容易にする。また、データを記憶する不揮発性ＮＡＮＤメモリセルからなるメモリ部４２を有するメモリカード３０は、より利便性が高い。
【００５０】
また、メモリカード３０がカードスロット１５に挿入された本実施形態のカメラ１０は、撮像部１１と、他の通信端末と無線でデータを送受信する通信部３５と、認識画像から特徴を抽出する認識部３４と、撮像部１１が撮影する第１の認識画像の特徴と、前記他の通信端末から送信される第２の認識画像の特徴と、が一致する場合に、以降の前記他の通信端末とのデータの送受信を許可するＣＰＵ３３と、を具備する通信端末である。
【００５１】
なお、メモリカード３０が有する無線通信機能および認証機能を有している通信端末であれば、メモリカード３０は不要である。
【００５２】
すなわち、近距離無線通信装置は、カメラ、または、カメラで使用されるメモリカードに内蔵され、画像認識機能を有しており、画像処理にて同一被写体の入力があったと見なされた場合、もしくは被写体から判断されるパスワード／番号が一致した場合には無線グルーピングを行い、そのグループ内での近距離無線通信を行う。
【００５３】
このため、本実施形態のカメラ１０は、近距離無線通信システム１を介しての通信許可設定が容易である。
【００５４】
また、本実施形態の認証方法は、被写体を撮影し第１の認識画像を取得する認識画像取得工程と、前記第１の認識画像を送信する認識画像送信工程と、他の通信端末からの第２の認識画像を受信する認識画像受信工程と、前記第１の認識画像および前記第２の認識画像の特徴を抽出する特徴抽出工程と、前記第１の認識画像および前記第２の認識画像の前記特徴が一致する場合に以降の前記他の通信端末とのデータの送受信を許可する通信許可工程と、を具備する。
【００５５】
このため、本実施形態の認証方法は、通信許可設定が容易である。さらに、本実施形態の認証方法は娯楽性を有する。
【００５６】
＜第１実施形態の変形例１＞
次に、第１実施形態の変形例のメモリカード３０Ａ、デジタルカメラ１０Ａおよび認証方法（以下、「メモリカード３０Ａ等」という）について説明する。本変形例のメモリカード３０Ａ等は第１実施形態のメモリカード３０等と類似しているため、同じ構成要素には同じ符号を付し説明は省略する。
【００５７】
メモリカード３０等は認識画像を送受信したが、メモリカード３０Ａ等は認識部３４が抽出した認識画像の特徴を送受信してもよいし、認識画像の特徴と対応付けられた文字／数字情報を送受信してもよい。
【００５８】
例えば、認識画像が人差し指と中指を立てたＶサインを示す手の画像の場合に、メモリカード３０等は「Ｖ」という文字情報を認識画像の特徴として送受信する。認識画像の特徴は認識画像そのものよりもデータ量が少ないため、送受信に要する時間および特徴が一致するかの判定に要する時間を短くできる。
【００５９】
メモリカード３０Ａ等はメモリカード３０等が有する効果を有し、さらに通信許可設定が容易である。＜第１実施形態の変形例２＞
以下、第１実施形態の変形例のメモリカード３０Ｂ、デジタルカメラ１０Ｂおよび認証方法（以下、「メモリカード３０Ｂ等」という）について説明する。本変形例のメモリカード３０Ｂ等は第１実施形態のメモリカード３０等と類似しているため、同じ構成要素には同じ符号を付し説明は省略する。
【００６０】
メモリカード３０等が送受信する認識画像は静止画であったが、メモリカード３０Ｂ等は動画を認識画像として送受信する。
【００６１】
静止画に比べて動画は情報量が多い。例えば、手サインとして、２本の指が伸びた手を、５本の指が伸びた状態に変化する認識動画像から、数字「２」と数字「５」とを抽出することにより、２桁の数字「２５」を特徴とすることができる。また、より複雑なジェスチャーをもとに、よりユニークな特徴としてもよい。
【００６２】
メモリカード３０Ｂ等はメモリカード３０等が有する効果を有し、さらに多くの情報量をもとに認証を行うために通信相手を確実に特定することができる。
【００６３】
＜第２実施形態＞
次に、第２実施形態のメモリカード３０Ｃ、デジタルカメラ１０Ｃおよび認証方法（以下、「メモリカード３０Ｃ等」という）について説明する。本実施形態のメモリカード３０Ｃ等は第１実施形態のメモリカード３０等と類似しているため、同じ構成要素には同じ符号を付し説明は省略する。
【００６４】
メモリカード３０Ｃ等は、撮像部１１が撮影する第３の認識画像の特徴にもとづき、送受信を許可する他のカメラの数、または、データの送信もしくは受信、の少なくともいずれかをＣＰＵ３３が制限する通信設定工程を具備する。
【００６５】
すなわち、メモリカード３０Ｃを有するカメラ１０Ｃは、例えば、１台のカメラ１１０Ａとの通信を許可した後に、さらに撮像部１１により第３の認証画像の撮影／認識を行うことにより、ＣＰＵ３３は送受信を許可する他のカメラの数、または、データの送信もしくは受信、の少なくともいずれかを制限することもできる。
【００６６】
例えば、図３（Ｃ）に示すように、カメラ１０Ｃは、撮像部１１が撮影する第３の認識画像として１本の指が伸びた手の画像を認証画像として、送受信を許可する他のカメラの数を１台に制限できる。
【００６７】
例えば、手招きのジャスチャー画像を認識画像として送信したカメラは受信側に設定される。また、例えば、親指だけを伸ばした認識画像により、１枚の画像のみを送信するようにカメラを設定できる。
【００６８】
すなわち、カメラ１０Ｃでは、使用者はカメラ１０の操作部等を操作するのではなく、撮像部１１により撮影した認識画像をもちいて通信操作を行うことができる。
【００６９】
なお、カメラ１０Ｃは、第３の認識画像による通信設定工程の後に、認識画像送信工程等を行ってもよい。
【００７０】
メモリカード３０Ｃ等は、メモリカード３０等が有する効果を有し、さらに認証工程以外の通信操作を認証画像をもちいて簡単に行うことができる。
【００７１】
なお、通信端末（ホスト）としてデジタルカメラを例に説明したが、撮像部を有する携帯型の通信端末であれば、携帯電話またはＰＤＡ等であってもよい。また、認識画像の被写体は物品または風景等であってもよい。さらに音声による認証等を併用して通信許可設定を行ってもよい。また近距離無線通信システムは基地局等を介したシステムでもよい。
【００７２】
本発明の実施形態を説明したが、この実施形態は、例として提示したものであり、発明の範囲を限定することは意図していない。実施形態は、その他の様々な形態で実施されることが可能であり、発明の要旨を逸脱しない範囲で、種々の省略、置き換え、変更を行うことができる。実施形態は、発明の範囲や要旨に含まれるとともに、特許請求の範囲に記載された発明とその均等の範囲に含まれる。
【符号の説明】
【００７３】
１…近距離無線通信システム、１０、１０Ａ〜１０Ｃ…デジタルカメラ、１１…撮像部、１２…表示部、１２…カメラ制御部、１３…操作部、１４…カメラ制御部、１５…カードスロット、１６…カード接続端子、３０、３０Ａ〜３０Ｃ…メモリカード、３１…外部接続端子、３３…ＣＰＵ、３４…認識部、３５…通信部、３６…アンテナ、３７…ＲＦユニット、３９…ＲＡＭ、４２…メモリ部、１１０Ａ〜１１０Ｃ…デジタルカメラ
【図１】
2012134872.tif 000003
【図２】
2012134872.tif 000004
【図３】
2012134872.tif 000005
【図４】
2012134872.tif 000006